(57)【要約】【課題】  見舞者が操作する見舞者用端末を設け、ナースコールシステムに記憶されている看護情報から見舞先の入院患者の見舞い可否情報を入手して見舞者用端末に表示させる。【解決手段】  制御機４に患者毎の救護区分、感染症、検査日時、外出予定日時等の看護情報を記憶する看護情報記憶部４５と、看護情報等からお見舞いの可否を判断する見舞可否判定部４６とを設け、見舞者により操作される見舞者用端末５を病院共用部に設置した。見舞者用端末５は、見舞者が患者を特定するための見舞者用端末操作部５１と、特定された患者の情報を表示する見舞者用端末表示部５２と、制御機４の見舞可否判定部４６から患者の見舞可否情報を入手して表示部５２に表示制御する見舞者用端末ＣＰＵ５４を設けた。【選択図】  図１
2008206834.tif 000002
【特許請求の範囲】
【請求項１】
看護師を呼び出すために病室内の個々のベッドに設置したナースコール子機と、前記ナースコール子機からの呼び出しを制御し、呼び出しが発生したことを表示する廊下灯と、前記ナースコール子機からの呼び出しに応答するためにナースステーションに設置されたナースコール親機と、前記廊下灯および前記ナースコール親機の通信を制御するための制御機とを備えたナースコールシステムにおいて、
患者毎の救護区分、感染症、検査日時、外出予定日等の看護情報を記憶する看護情報記憶手段と、前記看護情報を基にお見舞いの可否を判断する見舞可否判定手段と、病院共用部に設置されて見舞者により操作される見舞者用端末とを備え、
前記見舞者用端末は、見舞者が患者を特定するための操作部と、特定された患者の情報を表示する表示部と、特定された患者の見舞可否情報を前記見舞可否判定手段から入手して前記表示部に表示する表示制御部とを有することを特徴とするナースコールシステム。
【請求項２】
前記見舞可否判定手段は、前記ナースコール子機からスタッフコール等緊急呼び出しが成されたら、そのナースコール子機に関連付けられている患者へのお見舞いを不可と判断することを特徴とする請求項１記載のナースコールシステム。
【請求項３】
前記緊急呼び出しの復旧操作が成されたら、前記見舞可否判定手段は緊急呼び出しにより見舞不可と判断していた患者のお見舞いを可と変更することを特徴とする請求項２記載のナースコールシステム。
【請求項４】
前記ナースコール子機は、患者自身が見舞不可設定を行う見舞不可設定ボタンを有し、前記見舞可否判定手段は、前記見舞不可設定ボタンが操作されたらそのナースコール子機に関連付けられている患者をお見舞い不可と判断することを特徴とする請求項１乃至３の何れかに記載のナースコールシステム。
【発明の詳細な説明】
【技術分野】
【０００１】
本発明は、ナースコールシステムに関し、特にナースコール親機等で記憶している看護情報を基にお見舞いの可否を判断して、見舞者が病室に赴く前にお見舞いが可能かどうか確認することが出来るナースコールシステムに関する。
【背景技術】
【０００２】
ナースコールシステムは、患者が看護師を呼び出すナースコールボタンを備えたナースコール子機が各ベッドに設置され、病室前の入口付近には患者の呼び出しを確認するための廊下灯が設置され、ナースステーションには患者からの呼び出しを受け付けて患者と通話する機能及び患者情報や看護情報を表示する機能等を備えたナースコール親機が設置されて、更にこれらの機器間の通信を制御する制御機等が設置されて構成されている。
このような機器を備えることで、看護師は患者からの呼び出しに対して速やかに応答し対処することができるし、患者に関する看護情報等をナースコール親機から入手することが可能となっている。
【０００３】
一方で、入院患者の病室番号や外来患者の診察待ち情報を表示する装置が知られている。例えば、特許文献１に開示された院内情報表示装置によれば、患者情報を入力する入力装置と患者情報を表示する表示端末とを設け、見舞者により入院患者の病室番号の検索を可能とすると共に、外来患者に対しては診察待ち状況を把握可能としている。
【特許文献１】特開平７−２４５６１６号公報
【発明の開示】
【発明が解決しようとする課題】
【０００４】
上記特許文献１に開示された院内情報表示装置は、見舞者に対して入院患者の病室番号を通知できるため、見舞者はその都度看護師に聞くことがなくなるので、看護師の負担が軽減され便利である。しかし、ナースコールシステムへの入力作業とは別に患者に関するデータを入力しなければならず、入力作業が面倒であった。また、入院患者の病室を知ることはできるが、見舞が可能な状態にあるかどうかまでは通知しないので、その患者が病室に居るかどうかは病室まで行かなければわからなかった。更に、病室まで赴いた結果、不在であることがわかっても、なぜ居ないのかは解らないので、結局看護師に聞かなければならない状況が発生した。
【０００５】
そこで、本発明はこのような問題点に鑑み、検査日時等の看護情報が登録されているナースコールシステムに見舞者が操作できる見舞者用端末を接続し、見舞者自身の操作により見舞先患者の見舞い可否情報を入手可能としたナースコールシステムを提供することを目的としている。
【課題を解決するための手段】
【０００６】
上記課題を解決する為に、請求項１の発明は、看護師を呼び出すために病室内の個々のベッドに設置したナースコール子機と、ナースコール子機からの呼び出しを制御し、呼び出しが発生したことを表示する廊下灯と、ナースコール子機からの呼び出しに応答するためにナースステーションに設置されたナースコール親機と、廊下灯およびナースコール親機の通信を制御するための制御機とを備えたナースコールシステムにおいて、患者毎の救護区分、感染症、検査日時、外出予定日等の看護情報を記憶する看護情報記憶手段と、看護情報を基にお見舞いの可否を判断する見舞可否判定手段と、病院共用部に設置されて見舞者により操作される見舞者用端末とを備え、見舞者用端末は、見舞者が患者を特定するための操作部と、特定された患者の情報を表示する表示部と、特定された患者の見舞可否情報等を見舞可否判定手段から入手して表示部に表示する表示制御部とを有することを特徴とする。
この構成により、見舞者用端末を操作することで見舞先の入院患者が現在見舞い可能かどうか見舞者用端末に表示される。よって、見舞者は患者の入院している病室まで赴くこと無く、また看護師等に聞くことなく見舞いが可能かどうか知ることができる。そのため、看護師が見舞者の対応をする必要がなくなるし、見舞者はロビー等でお見舞い可否を知ることができ、看護師、見舞者の双方にとって利便性が良い。また、別途見舞者用端末に見舞の可／不可情報を入力する必要がない。
【０００７】
請求項２の発明は、請求項１に記載の発明において、見舞可否判定手段は、ナースコール子機からスタッフコール等緊急呼び出しが成されたら、そのナースコール子機に関連付けられている患者へのお見舞いを不可と判断することを特徴とする。
この構成により、看護情報記憶手段に予め登録されていない場合であっても、見舞いの難しい状況が発生したら見舞不可と判断するので、急にお見舞い不可の状況が発生しても、見舞者は見舞者用端末からそれを知ることができる。
【０００８】
請求項３の発明は、請求項２に記載の発明において、緊急呼び出しの復旧操作が成されたら、見舞可否判定手段は緊急呼び出しにより見舞不可と判断していた患者のお見舞いを可と変更することを特徴とする。
この構成により、急にお見舞い不可状況が発生しても復旧操作が成されればお見舞い可となるので、常に適切な見舞可否の案内を実施できる。
【０００９】
請求項４の発明は、請求項１乃至３の何れかに記載の発明において、ナースコール子機は、患者自身が見舞不可設定を行う見舞不可設定ボタンを有し、見舞可否判定手段は、見舞不可設定ボタンが操作されたらそのナースコール子機に関連付けられている患者をお見舞い不可と判断することを特徴とする。
この構成により、お見舞いが可能な状況であっても、患者の意思によりお見舞い不可にできるので、お見舞いが患者の負担に成ることがなく利便性が良い。
【発明の効果】
【００１０】
本発明によれば、見舞者用端末を操作することで見舞先の入院患者が現在見舞い可能かどうか見舞者用端末に表示される。よって、見舞者は患者の入院している病室まで赴くこと無く、また看護師等に聞くことなく見舞いが可能かどうか知ることができる。そのため、看護師が見舞者の対応をする必要がなくなるし、見舞者はロビー等でお見舞い可否を知ることができ、看護師、見舞者の双方にとって利便性が良い。また、別途見舞者用端末に見舞の可／不可情報を入力する必要がない。
【発明を実施するための最良の形態】
【００１１】
以下、本発明を具体化した実施の形態を、図面に基づいて詳細に説明する。図１は、本発明に係るナースコールシステムの一例を示す構成図であり、個々の機器を回路ブロック図で示している。図１において、１は看護師を呼び出すために病室内の個々のベッドに設置されたナースコール子機、２はナースコール子機１からの呼び出しを制御し、呼び出しが発生したことを表示する廊下灯、３はナースコール子機１からの呼び出しに応答するためにナースステーションに設置されたナースコール親機、４は廊下灯２およびナースコール親機３の間の通信を制御するための制御機、５は病院内のロビー等の共用部に設置されて見舞者が操作する見舞者用端末である。
【００１２】
ナースコール子機１は、患者が看護師を呼び出すためのナースコールボタン１１、緊急時に看護師が操作するスタッフコールボタン１２、通話するための子機マイク１３及び子機スピーカ１４、患者自身が見舞不可設定をするための見舞不可設定ボタン１５、お見舞いの可否を表示する見舞可否表示部１６を備え、通信線である子機ラインＬ１により廊下灯２に接続されている。尚、図１では１個のナースコール子機１しか示していないが、廊下灯２には病室内の全てのナースコール子機１が並列に接続される。
【００１３】
子機ラインＬ１は、マイク１３からの音声を伝送するための第１通話ラインＬ１ａ、子機スピーカ１４から報音するための第２通話ラインＬ１ｂ、呼出信号を伝送する呼出ラインＬ１ｃ、スタッフコール信号を伝送するスタッフコールラインＬ１ｄ、見舞不可設定信号を伝送する見舞不可制御ラインＬ１ｅ、見舞可否表示部１６を制御する見舞可否表示部制御ラインＬ１ｆの６線で構成されている。
【００１４】
廊下灯２は、ナースコール子機１が操作されたことを検出するための呼出検出回路２１、制御機４とデータ通信するための廊下灯データ送受信回路２２、第１通話ラインＬ１ａを介してナースコール子機１のマイク１３から伝送されてくる音声信号を４線／２線変換すると共に、第２通話ラインＬ１ｂを介して子機スピーカ１４へ送出する音声信号を２線／４線変換するための廊下灯通話回路２３、廊下灯通話回路２３と制御機４の間の通話路を制御する廊下灯通話制御回路２４、ナースコール子機１からの見舞不可設定信号を検出する見舞不可設定検出回路２５、廊下灯２の各回路を制御する廊下灯ＣＰＵ２６を備え、通信線である廊下灯ラインＬ２により制御機４に接続されている。
この廊下灯ラインＬ２は、制御信号等を伝送する制御ラインＬ２ａと音声信号を伝送する通話ラインＬ２ｂの２線で構成されている。
【００１５】
ナースコール親機３は、患者と通話する為のハンドセット３１、通話を制御する親機通話制御回路３２、呼び出しを報音するための親機スピーカ３３、患者情報や親機設定情報を記憶する親機記憶装置３４、患者情報等を表示する親機表示部３５、入力操作、表示操作等を行うための親機操作部３６、データ通信するための親機データ送受信回路３７、ナースコール親機３の各回路を制御する親機ＣＰＵ３８を備え、通信線である親機ラインＬ３により制御機４に接続されている。
この親機ラインＬ３は、制御信号等を伝送する制御ラインＬ３ａと、音声信号を伝送する通話ラインＬ３ｂの２本で構成されている。
【００１６】
制御機４は、ナースコール子機１とナースコール親機３の間の通話を制御する制御機通話制御回路４１、各機器間のデータの送受信を管理する制御機データ送受信回路４２、ナースコール子機１の状態を保持するための制御機記憶装置４３、現在時刻を取得する現在時刻取得部４４、患者毎の救護区分、感染症、検査日時、外出予定日等の看護情報を記憶する看護情報記憶部４５、お見舞いの可否を判断する見舞可否判定部４６、制御機４の各回路を制御する制御機ＣＰＵ４７を備えている。尚、看護情報記憶部４５のデータは、入院患者が発生する度に、また変更が発生する度にナースコール親機３等から入力され、登録される。
【００１７】
また、見舞者用端末５は、見舞い者等が入院患者を特定するための見舞者用端末操作部５１、患者がお見舞い可能な状態にあるか表示する見舞者用端末表示部５２、患者とナースコール子機ＩＤの対応テーブルを記憶した見舞者用端末記憶装置５３、見舞者用端末５の各回路を制御する見舞者用端末ＣＰＵ５４、制御機４とデータの送受信を行う見舞者用端末データ送受信回路５５を備え、通信線である見舞者用端末ラインＬ４により制御機４に接続されている。
【００１８】
このように構成されたナースコールシステムは次のように動作する。但し、ナースコール子機１からの呼び出し、この呼び出しを受けてナースコール親機３での応答動作は従来と同様であるし本発明の要部ではないため説明を省略し、ここでは見舞者用端末５の操作に関連する動作について説明する。
【００１９】
まず、入院患者に検査予定や外泊予定などが発生したら、ナースコール親機３の親機操作部３６を用いて、看護師によりそれらの情報が、既に入力されて制御機４の看護情報記憶部４５に登録されている看護情報に追加登録される。親機操作部３６の操作で新たな看護情報を受け取った親機ＣＰＵ３８は、親機データ送受信回路３７から制御ラインＬ３ａを通じて制御機データ送受信回路４２へ伝達する。制御機ＣＰＵ４７は、看護情報記憶部４５に入力された検査日時情報や外泊予定日等を登録する。
【００２０】
この状態で、見舞者が見舞者用端末５の見舞者用端末表示部５２に表示された手順（図示せず）に基づいて見舞者用端末操作部５１を操作し、お見舞い先の患者氏名等を入力或いは選択する。この操作を受けて、見舞者用端末ＣＰＵ５４は見舞者用端末記憶装置５３の患者とナースコール子機ＩＤの対応テーブルからナースコール子機ＩＤを求め、特定されたナースコール子機ＩＤの見舞確認コマンドを見舞者用端末データ送受信回路５５から見舞者用端末ラインＬ４を通じて制御機データ送受信回路４２へ伝達する。
制御機ＣＰＵ４７は、制御機データ送受信回路４２から受け取ったナースコール子機ＩＤ情報を基に、看護情報記憶部４５から対応する患者の看護情報を取り出し、また現在時刻取得部４４から時刻情報を取得し、これらの情報を見舞可否判定部４６に渡す。
【００２１】
見舞可否判定部４６は、取得した看護情報及び時刻情報から、検査日時や外泊予定日等がある場合は、取得した時刻情報（現在の時刻）が検査日時や外泊予定日の時間帯に含まれるか判断し、含まれる場合は見舞不可と判断し、含まれなければ見舞可と判断する。そして、この判断結果が制御機ＣＰＵ４７の制御により見舞者用端末５に返信される。このとき制御機ＣＰＵ４７は、見舞不可判定であれば、更に見舞不可時間帯及び検査中である等の見舞不可理由情報を見舞者用端末ラインＬ４を通じて見舞者用端末データ送受信回路５５へ伝達する。
こうして見舞先患者に関する情報を受け取った見舞者用端末５は、表示制御部である見舞者用端末ＣＰＵ５４の制御により、見舞者用端末表示部５２に見舞可否判定結果、更に見舞不可であれば見舞不可時間帯および見舞不可理由も表示する。この表示は、例えば「午後２時から４時までは検査時間です。お見舞いすることができません。」と表示される。
【００２２】
また、見舞者がこの表示を見て見舞者用端末操作部５１を操作して患者の見舞不可日時一覧表示機能を選択することができる。この一覧表示を選択すると、見舞者用端末ＣＰＵ５４は、特定したナースコール子機ＩＤの見舞不可日時一覧コマンドを見舞者用端末ラインＬ４を通じて制御機４に送信する。このコマンドを受けた制御機４は、制御機ＣＰＵ４７の制御により受け取ったコマンドに含まれるナースコール子機ＩＤを基に、看護情報記憶部４５から特定された患者の見舞不可日時および見舞不可理由を抽出し、見舞者用端末５に返信する。
見舞者用端末５では、この返信データを受けて見舞者用端末ＣＰＵ５４の制御により、見舞者用端末表示部５２に見舞不可日時および見舞不可理由の一覧が表示される。
【００２３】
このように、見舞者用端末を操作することで見舞先の入院患者が現在見舞い可能かどうか見舞者用端末に表示される。よって、見舞者は患者の入院している病室まで赴くこと無く、また看護師等に聞くことなく見舞いが可能かどうか知ることができる。そのため、看護師が見舞者の対応をする必要がなくなるし、見舞者はロビー等でお見舞い可否を知ることができ、看護師、見舞者の双方にとって利便性が良い。また、別途見舞者用端末に見舞の可／不可情報を入力する必要がない。
更に、見舞者は、見舞先患者の見舞不可日時の一覧を見ることができるので、今後の見舞予定を立てやすい。
【００２４】
次に、患者自身により見舞不可設定ボタンを操作した場合の動作を説明する。患者がナースコール子機１の見舞不可設定ボタン１５を押すと、見舞不可制御ラインＬ１ｅを通じて廊下灯２の見舞不可設定検出回路２５がそのボタンアクティブを検出する。この検出信号は廊下灯ＣＰＵ２６に伝達され、廊下灯ＣＰＵ２６は受信した検出信号にナースコール子機ＩＤ情報を付加した見舞不可設定信号を生成して、廊下灯データ送受信回路２２から制御ラインＬ２ａを通じて制御機４の制御機データ送受信回路４２へ伝達する。
【００２５】
廊下灯２から見舞不可設定信号を受信した制御機４は、制御機ＣＰＵ４７の制御により、見舞不可設定信号からナースコール子機ＩＤ情報、及び現在時刻取得部４４から時刻情報を取得し、看護情報記憶部４５に別途見舞不可設定情報として患者のナースコール子機ＩＤ及び見舞不可日時を登録する。尚、この場合のお見舞い不可とする期間は、不可設定されてから所定時間（例えば、１０分）と予め設定されている。また、このお見舞い不可とする時間は見舞不可設定ボタン１５を連続して押す回数によって、延長して時間を設定することが可能となっている。
【００２６】
また制御機ＣＰＵ４７は、看護情報記憶部４５に見舞不可設定情報を登録後、ナースコール子機ＩＤ及び見舞不可設定期間情報を有する表示制御信号を制御機データ送受信回路４２から制御ラインＬ２ａを通じて廊下灯データ送受信回路２２に伝達する。この表示制御信号を受信した廊下灯ＣＰＵ２６は、該当するナースコール子機１の見舞可否表示部１６をお見舞い不可とする表示をさせると共にその期間を表示させる。
【００２７】
こうして患者自身の設定による見舞不可設定情報は、ナースコール親機３等で入力された看護情報と共に看護情報記憶部４５に記憶される。そして、上述したように見舞者用端末５からのお見舞い可否確認の操作が成されたら、他の検査日時情報等と共に引き出され、見舞可否判定部４６において現在時刻情報と比較判定され、判定結果が見舞者用端末５に送信される。そして、見舞者用端末表示部５２に見舞可否情報が表示される。
このように、お見舞いが可能な状況であっても、患者の意思によりお見舞い不可にできるので、お見舞いが患者の負担に成ることがなく利便性が良い。
【００２８】
更に、スタッフコール等の緊急度の高い呼び出しが成された場合は以下のように動作する。ナースコール子機１に設けられているスタッフコールボタン１２が押されると、スタッフコールラインＬ１ｄを通じて廊下灯２の呼出検出回路２１がそのボタンアクティブを検出して、廊下灯ＣＰＵ２６にスタッフコール信号を伝達する。廊下灯ＣＰＵ２６は、受信したスタッフコール信号にナースコール子機ＩＤ情報を付加し、廊下灯データ送受信回路２２から制御ラインＬ２ａを通じて制御機データ送受信回路４２へ伝達する。
【００２９】
スタッフコール信号を受信した制御機ＣＰＵ４７は、ナースコール親機３にスタッフコール信号を伝達すると共に、取得したナースコール子機ＩＤ情報、及び現在時刻取得部４４から取得した時刻情報を基に、患者のナースコール子機ＩＤ及び見舞不可発生日時を上述した患者自身による見舞不可設定と同様に見舞不可設定情報として看護情報記憶部４５に登録する。
そして、見舞者用端末５からの見舞可否確認の操作が成されたら、検査日時情報等の他の情報と共に見舞不可設定情報は引き出され、見舞可否判定部４６で現在時刻情報と比較判定されて判定結果が見舞者用端末５に送信される。そして、見舞者用端末表示部５２に、見舞可否情報が表示される。
【００３０】
尚、この場合の見舞不可期間は、スタッフコールの復旧操作が成されるまで継続される。また、制御ラインＬ３ａを通じて制御機４からスタッフコール信号を受信したナースコール親機３は、親機ＣＰＵ３８の制御によりスピーカ３３から呼出報音すると共に、関連する患者情報等を親機表示部３５に表示させ、看護師の応答操作を待つ。
【００３１】
このように、看護情報記憶部に予め登録されていない場合であっても、見舞いの難しい状況が発生したら見舞不可と判断するので、急に見舞不可の状況が発生しても、見舞者は見舞者用端末からそれを知ることができる。
また、急に見舞不可状況が発生しても、その復旧操作が成されれば見舞可となるので、常に適切な見舞可否の案内を実施できる。
【００３２】
尚、上記実施形態では、看護情報記憶部４５及び見舞可否判定部４６を制御機４に持たせているが、ナースコール親機３または見舞者用端末５に設けても良い。また、見舞者用端末５にマイク、スピーカを設置すると共に見舞者用端末５と制御機４の間に通話ラインを設け、見舞者用端末５とナースコール子機１、或いは見舞者用端末５とナースコール親機３の間で通話を可能としても良く、感染症のような病状の場合、会うことなく会話することができるし、不明な点を看護師に聞くこともできる。
更に、患者が見舞可否を設定する手段としてナースコール子機１に見舞不可設定ボタン１５を設けているが、別途タッチパネル付の操作端末を接続して、詳細な設定を可能としても良い。
【図面の簡単な説明】
【００３３】
【図１】本発明に係るナースコールシステムの一例を示す構成図であり、各機器を回路ブロック図で示している。
【符号の説明】
【００３４】
１・・ナースコール子機、２・・廊下灯、３・・ナースコール親機、４・・制御機、５・・見舞者用端末、１２・・スタッフコールボタン、１５・・見舞不可設定ボタン、２５・・見舞不可設定検出回路、２６・・廊下灯ＣＰＵ、４４・・現在時刻取得部、４５・・看護情報記憶部（看護情報記憶手段）、４６・・見舞可否判定部（見舞可否判定手段）、４７・・制御機ＣＰＵ、５１・・見舞者用端末操作部、５２・・見舞者用端末表示部、５４・・見舞者用端末ＣＰＵ（表示制御部）。
【図１】
2008206834.tif 000003